(57)【要約】【課題】  本発明は、容易且つ迅速に洗浄ができるとともに、簡易な構造とすることを課題とする。【解決手段】本発明は、内部に吸水可能な筒状のストレーナエレメント１５と、該ストレーナエレメントの外周面に螺旋状に巻かれた線条材３０と、該線条材を介してストレーナエレメントを被覆する筒状のろ過布１３と、前記ストレーナエレメントの内部と連通するように該ストレーナエレメントに設けられ且つ吸水管２側に連結されるソケット２０とを備え、前記ろ過布を線条材に沿って回転させることにより、ストレーナエレメントに対して着脱自在に設けられている。【選択図】  図１
2008284443.tif 000002
【特許請求の範囲】
【請求項１】
内部に吸水可能な筒状のストレーナエレメントと、該ストレーナエレメントを被覆する筒状のろ過布と、前記ストレーナエレメントの内部と連通するように該ストレーナエレメントに設けられ且つ吸水管側に連結されるソケットとを備え、前記ろ過布はストレーナエレメントに対して着脱自在に設けられたことを特徴とするストレーナ。
【請求項２】
内部に吸水可能な筒状のストレーナエレメントと、該ストレーナエレメントの外周面に螺旋状に巻かれた線条材と、該線条材を介してストレーナエレメントを被覆する筒状のろ過布と、前記ストレーナエレメントの内部と連通するように該ストレーナエレメントに設けられ且つ吸水管側に連結されるソケットとを備え、前記ろ過布を線条材に沿って回転させることにより、ストレーナエレメントに対して着脱自在に設けられたことを特徴とするストレーナ。
【請求項３】
前記ストレーナエレメントの内部には、ストレーナエレメントの長手方向に沿って棒状の錘が設けられている請求項１または２に記載のストレーナ。
【請求項４】
前記ソケットは、可撓性を有するホースを少なくとも一部に備えた吸水管側に連結され、前記ソケットを吸水管側から取り外すことなく、ストレーナを液体から取り出せるようにした構成である請求項３に記載のストレーナ。
【発明の詳細な説明】
【技術分野】
【０００１】
本発明は、例えば魚槽等の水槽で使用されるストレーナに関する。
【背景技術】
【０００２】
従来から、漁船等の魚槽を備えた船舶には、漁獲物を活魚輸送できるように、魚槽内に貯留され海水をろ過し、冷却装置で所定温度に冷却して循環させている。すなわち、魚槽内の海水には、ストレーナが浸漬されており、このストレーナでろ過された海水は、ストレーナが連結された吸水管を介して吸水ポンプにより冷却装置に送られ、この冷却装置で冷却された海水は、排水管を介して再び魚槽内に戻されるようになっている。
【０００３】
ストレーナは、多数のスリットまたは網目を有するストレーナエレメントを有し、そのストレーナエレメントで水をろ過するものが使用されている（例えば、特許文献１参照）。
【特許文献１】実開平６−７２３５８号公報
【発明の開示】
【発明が解決しようとする課題】
【０００４】
前記従来のストレーナは、構造が簡単ではあるが、ストレーナエレメントが露出しているため、漁獲物が排出する排出物等の被ろ過物がストレーナエレメントに付着して目詰まりした際には、この被ろ過物を除去するストレーナエレメントの掃除が必要となる。
【０００５】
そこで、前記ストレーナを掃除する際には、ストレーナ全体を吸水管の固定側から取り外し、洗浄場所まで持っていかなければならず、非常に面倒であった。
【０００６】
また、ストレーナを取り外すことなく、ストレーナエレメントから水を逆噴出させる逆洗浄を行なうことも考えられるが、かかる場合には、そのための装置が必要となり、大型化する欠点がある。
【０００７】
本発明は、容易且つ迅速に洗浄ができるとともに、簡易な構造とすることを課題とする。
【課題を解決するための手段】
【０００８】
本発明は、前記課題を解決するためになされたもので、内部に吸水可能な筒状のストレーナエレメントと、該ストレーナエレメントを被覆する筒状のろ過布と、前記ストレーナエレメントの内部と連通するように該ストレーナエレメントに設けられ且つ吸水管側に連結されるソケットとを備え、前記ろ過布はストレーナエレメントに対して着脱自在に設けられたことにある。
【０００９】
そして、前記本発明のストレーナを掃除する際には、ストレーナエレメントからこのストレーナエレメントを覆っている筒状のろ過布を抜き取り、ろ過布をストレーナエレメントから分離した状態で洗浄することができる。
【００１０】
本発明は、内部に吸水可能な筒状のストレーナエレメントと、該ストレーナエレメントの外周面に螺旋状に巻かれた線条材と、該線条材を介してストレーナエレメントを被覆する筒状のろ過布と、前記ストレーナエレメントの内部と連通するように該ストレーナエレメントに設けられ且つ吸水管側に連結されるソケットとを備え、前記ろ過布を線条材に沿って回転させることにより、ストレーナエレメントに対して着脱自在に設けられたことにある。
【００１１】
そして、前記本発明のストレーナを掃除する際には、ストレーナエレメントに対して、このストレーナエレメントを覆っているろ過布を回転させると、回転するろ過布は、螺旋状の線条材に沿うように回転するため、次第にストレーナエレメントの端部側に移動され、ろ過布を容易且つ迅速に抜き取ることができる。
【００１２】
また、洗浄後にろ過布をストレーナエレメントに装着する際には、前記とは反対方向にろ過布を回転させることにより、ろ過布を端部からストレーナエレメントに容易且つ迅速に装着することができる。
【００１３】
本発明の前記ストレーナエレメントの内部には、ストレーナエレメントの長手方向に沿って棒状の錘が設けられている。かかる場合には、ろ過される液体中に浮き上がることなく、安定して設置させることができる。
【００１４】
本発明の前記ソケットは、可撓性を有するホースを少なくとも一部に備えた吸水管側に連結され、前記ソケットを吸水管側から取り外すことなく、ストレーナを液体から取り出せるようにした構成である。
【発明の効果】
【００１５】
本発明は、被ろ過物が付着した筒状のろ過布のみを抜き差して容易且つ迅速に洗浄ができるとともに、筒状のろ過布をストレーナエレメントに着脱自在に設けた構成であるため、ストレーナの構造も簡易なものとなる。
【発明を実施するための最良の形態】
【００１６】
以下、本発明の一実施の形態について図面を参照しながら説明する。
【００１７】
図６は、本発明の一実施の形態の全体概略図を示し、図６において、１は例えば船舶に搭載される水槽（魚槽）である。この魚槽１内には、漁獲物を遊泳させておく海水が貯留されており、海水は、図示省略の冷凍装置により所定温度に冷却された後に、再び魚槽１に循環されるようになっている。
【００１８】
すなわち、魚槽１内には、冷凍装置に接続された吸水管２の一端側が海水中に臨むように設けられている。また、吸水管２には循環ポンプ３が介在されており、循環ポンプ３は、魚槽１内の海水を冷凍装置に送り、冷凍装置機で所定温度に冷却された海水は、冷凍装置に接続された排出管５により、魚槽１内に戻されるようになっている。
【００１９】
また、魚槽１内には分散器６が設けられており、分散器６はブロワ７から送られる圧縮空気を気泡として海水内に流出する。従って、海水は所定の温度（例えば略１８℃）が維持され、漁獲物を新鮮な生きた状態で搬送することができる。
【００２０】
吸水管２の先端には長尺状のストレーナ１０が設けられ、ストレーナ１０は魚槽１の底面に配置されている。なお、吸水管２は、ストレーナ１０を連結した状態で海水から取り出せるように、少なくとも一部が可撓性を有するホースから構成されている。
【００２１】
ストレーナ１０について図１〜図５に示す。ストレーナ１０は、ストレーナ本体１１と、このストレーナ本体１１に着脱自在に設けられたろ過布１３とから構成されている。
【００２２】
ストレーナ本体１１は、筒状のストレーナエレメント１５を備えている。ストレーナエレメント１５は、例えば高密度ポリエチレンを網状（網目構造）に成形したプラスチックパイプや、金属製のパイプ等から形成され、内部に海水が吸水できるように、内外に連通する網目１６が多数形成されたものである。なお、網目１６の大きさおよび形状は、適宜設定可能である。
【００２３】
ストレーナエレメント１５の一端部１５ａには、筒状の連結管１７が嵌合され、この連結管１７に有低筒状のキャプ１８が取り付けられており、このキャプ１８によりストレーナエレメント１５の一端部の開口が閉塞されている。なお、キャプ１８の外径は、ストレーナエレメント１５の外径と略同等に設定されている。
【００２４】
ストレーナエレメント１５の他端部１５ｂには、筒状の連結管１９が嵌合され、この連結管１９に筒状のソケット２０が取り付けられている。ソケット２０は大径筒部２１と小径筒部２２とからなり、大径筒部２１が連結管１９に嵌合されている。
【００２５】
小径筒部２２には連結管２３を介してエルボ２４が連結され、エルボ２４は連結管２５を介して吸水管２に連結されている。
【００２６】
ストレーナエレメント１５の内部には、棒状の錘２７が内設されている。この錘２７は、ストレーナエレメント１５の長手方向に対してストレーナエレメント１５の略全長にわたって設けられている。このように棒状の錘２７をストレーナエレメント１５の略全長にわたって設けることにより、長尺状のストレーナ１０全体を安定して沈めておくことができる。
【００２７】
また、錘２７の直径は、前記ソケット２０の小径筒部２２の口径よりも小さく設定されており、錘２７は、その一端側を小径筒部２２からストレーナエレメント１５の内部に挿入できるようになっている。
【００２８】
ストレーナエレメント１５の外周面には、ストレーナエレメント１５の全長にわたって長尺状の線条材３０が、所定の間隔を有して螺旋状に巻かれている。線条材３０の材質は特に限定されず、合成樹脂製または金属製であってもよい。また、線条材３０は中実であっても中空の筒状であってもよいが、断面形状が円形であるのが望ましい。
【００２９】
線条材３０に一端部３０ａは、図１に示すように、ストレーナエレメント１５の一端部１５ａとともにビス３１により連結管１７に共締めされている。線条材３０に他端部３０ｂは、ストレーナエレメント１５の他端部１５ｂとともにビス３２により連結管１９に共締めされている。
【００３０】
ストレーナエレメント１５の外周には、線条材３０を介して前記筒状のろ過布（ろ過シート）１３が被覆されている。ろ過布１３は、例えばポリ塩化ビニリデン系繊維をスプリング状にカール加工した不織布をシート状に形成したものである。そして、そのろ過布１３の両端を縫製することにより、筒状に形成している。なお、ろ過布１３は成形により端部を接合することなく筒状に形成したものであってもよい。
【００３１】
ろ過布１３の長さは、ストレーナエレメント１５の長さと同等またはそれ以上に設定され、ストレーナエレメント１５の全長を覆うようになっている。ろ過布１３は、円形を維持するように若干の弾性力を有している。また、ろ過布１３の端部からストレーナエレメント１５に水が浸入しないような水密性が必要となる。そのために、ろ過布１３は、その内径が大き過ぎず、伸縮性を有するようになっている。
【００３２】
従って、ろ過布１３の内径は、ストレーナエレメント１５およびキャプ１８の直径よりも若干小さく設定されているのが望ましく、ストレーナエレメント１５に装着されたろ過布１３の両端部は、図１に示すように水密性を有するようにストレーナ本体１１側（キャプ１８および線条材３０）に密着している。
【００３３】
ろ過布１３をストレーナ本体１１に装着するには、ろ過布１３を螺旋状の線条材３０に沿ってねじ込むようにして、ろ過布１３をその端部側からストレーナ本体１１に容易に装着できる。しかも、装着されたろ過布１３は、螺旋状の線条材３０に密着するため、ろ過布１３がストレーナエレメント１５の長手方向に不用意に抜けてしまうことがない。なお、キャプ１８は、図１に仮想線で示すように先端部をテーパー状に形成して、ろ過布１３の端部が挿入し易くすることも可能である。
【００３４】
ろ過布１３の内周面とストレーナエレメント１５の外周面との間には、線条材３０により、間隙３５が形成されている。
【００３５】
本発明のストレーナ１０の実施の形態は、以上の構成からなり、次にそのストレーナ１０の使用例について説明する。
【００３６】
魚槽１内の海水は、ストレーナ１０のろ過布１３で被ろ過物がろ過され、所定の温度に冷却された後に、再び魚槽１内に戻ってくる。ストレーナ１０は長尺状に設けれれているので、ろ過面積が大きくなり、効率よく海水をろ過できる。また、ろ過布１３は、螺旋状に巻かれた線条材３０を介してストレーナエレメント１５に装着されているため、不用意にストレーナ本体１１（ストレーナエレメント１５）から抜けてしまうこともない。
【００３７】
ストレーナ１０のろ過布１３が目詰まりした際には、ストレーナ１０を海水から取り出す。吸水管２の少なくとも一部を可撓性を有するホースから構成していることから、ストレーナ１０は吸水管２に連結された状態で、しかも、ストレーナ１０は、錘２７により沈められているだけなので、ストレーナ１０は簡単に海水から取り出すことができる。
【００３８】
そして、ストレーナ本体１１の基部側（ソケット２０側）を一方の手で把持し、他方の手でろ過布１３を回転させる（図３（ｂ）参照）。このときのろ過布１３の回転方向は、線条材３０に沿って抜ける方向に回転させる。線条材３０はろ過布１３を抜ける方向に案内するため、ろ過布１３をストレーナ本体１１の先端側に容易に抜き取ることができる。
【００３９】
抜き取ったろ過布１３を、洗浄場所に持って行き、その過布３５を洗浄した後に再びストレーナ本体１１に装着する。このとき、ろ過布１３を前記とは反対方向に回転させることにより、ろ過布１３を螺旋状の線条材３０に沿ってねじ込むようにして、ろ過布１３をその端部側からストレーナ本体１１に容易に装着できる。
【００４０】
ろ過布１３を装着したストレーナ１０を海水に投入すると、ストレーナ１０は錘２７により、魚槽１の底面に迅速に到達するとともに一端側が浮き上がることなく全体が沈むため、別の部材により固定する必要がない。
【００４１】
また、ろ過布１３は掃除以外に、定期的なメンテナンスにより新たなものと交換する場合も同様に容易且つ迅速に行なうことができる。
【００４２】
本発明は、前記実施の形態に限定されるものではない。前記実施の形態では、船舶に搭載される魚槽の海水処理について説明したが、例えば、魚などの他、海草、水草などの水性生物および水性植物を飼育または養殖する水槽等や、河川やダム等の水源をろ過する場合にも採用することができる。
【図面の簡単な説明】
【００４３】
【図１】本発明の一実施の形態に係るストレーナの全体を示す断面図である。
【図２】同ストレーナの端面の断面図である。
【図３】同ストレーナを示し、（ａ）は全体斜視図、（ｂ）はろ過布の着脱時を示す斜視図である。
【図４】同ストレーナのストレーナ本体からろ過布を分離した状態の斜視図である。
【図５】同ストレーナの分解斜視図である。
【図６】同ストレーナの使用状態の概略を示す断面図である。
【符号の説明】
【００４４】
１      魚槽（水槽）
２      吸水管
１０    ストレーナ
１１    ストレーナ本体
１３    ろ過布
１５    ストレーナエレメント
２０    ソケット
２７    錘
３０    線条材
【図１】
2008284443.tif 000003
【図２】
2008284443.tif 000004
【図３】
2008284443.tif 000005
【図４】
2008284443.tif 000006
【図５】
2008284443.tif 000007
【図６】
2008284443.tif 000008